(57)【要約】【課題】  簡易な構成で内部に収納された電子基板での結露の発生および埃の侵入を防止することができる電子機器の筺体構造を提供する。【解決手段】  外部との電気的接続のためのコネクタ３が設けられた電子基板２を収納する電子機器用筺体であって、コネクタ３を相手方コネクタ５に接続させるためのコネクタ用開口部４１０を有しており、コネクタ用開口部４１０を、コネクタ３または相手方コネクタ５のいずれかと対応した形状に形成するとともに、内周部がコネクタ３または相手方コネクタ５のいずれかの外周部と接触するように構成しており、コネクタ用開口部４１０の内周縁部に、弾性変形可能な材質からなる柔軟部４１１を設ける。【選択図】        図１
2006244759.tif 000002
【特許請求の範囲】
【請求項１】
外部との電気的接続のためのコネクタ（３）が設けられた電子基板（２）を収納する電子機器用筺体であって、
前記コネクタ（３）を相手方コネクタ（５）に接続させるためのコネクタ用開口部（４１０）を有しており、
前記コネクタ用開口部（４１０）は、前記コネクタ（３）または前記相手方コネクタ（５）のいずれかと対応した形状に形成されるとともに、内周部が前記コネクタ（３）または前記相手方コネクタ（５）のいずれかの外周部と接触するように構成されており、
前記コネクタ用開口部（４１０）の内周縁部には、弾性変形可能な材質からなる柔軟部（４１１）が設けられていることを特徴とする電子機器の筺体構造。
【請求項２】
外部との電気的接続のためのコネクタ（３）が設けられた電子基板（２）を収納する電子機器用筺体であって、
前記コネクタ（３）を相手方コネクタ（５）に接続させるためのコネクタ用開口部（４１０）を有しており、
前記コネクタ用開口部（４１０）は、前記コネクタ（３）または前記相手方コネクタ（５）のいずれかと対応した形状に形成されるとともに、内周部が前記コネクタ（３）または前記相手方コネクタ（５）のいずれかと接触するように構成されており、
前記コネクタ用開口部（４１０）の内周縁部には、前記コネクタ用開口部（４１０）が形成される面よりも板厚が薄く、弾性変形可能な薄肉部（４１２）が設けられていることを特徴とする電子機器の筺体構造。
【請求項３】
外部との電気的接続のためのコネクタ（３）が設けられた電子基板（２）を収納する電子機器用筺体であって、
前記コネクタ（３）を相手方コネクタ（５）に接続させるためのコネクタ用開口部（４１０）を有しており、
前記コネクタ用開口部（４１０）は、前記コネクタ（３）または前記相手方コネクタ（５）のいずれかと対応した形状に形成されるとともに、内周部が前記コネクタ（３）または前記相手方コネクタ（５）のいずれかと接触するように構成されており、
前記コネクタ用開口部（４１０）の内周縁部には、一端がコネクタ用開口部（４１０）に位置しているとともに前記コネクタ用開口部（４１０）から遠ざかる方向に切れ込むように形成された切れ込み部（４１３）が設けられていることを特徴とする電子機器の筺体構造。
【発明の詳細な説明】
【技術分野】
【０００１】
本発明は、電子基板が収納される電子機器用筺体に関する。
【背景技術】
【０００２】
従来より、車両に搭載するＥＣＵ等の電子機器は、図８に示すように、コネクタＰ３と、電子基板Ｐ２と、電子基板Ｐ２を収容し保護する収容ケースＰ４とを備えており、この収容ケースＰ４は、ケース本体Ｐ４０とカバーＰ４１から構成されている。また、収容ケースＰ４には、特別に密閉構造を必要としない限り、隙間Ｐ５がある。このような電子機器が車両に搭載される場合には、外部の環境変化により、隙間Ｐ５から収容ケースＰ４内と温度差のある外気が収容ケースＰ４内に侵入すると、電子基板Ｐ２上で結露が生じ、誤動作、故障が生じるという問題があった。さらに、埃が収容ケースＰ４内に侵入した場合にも、誤動作、故障が生じるという問題があった。
【０００３】
このような問題に対して、電子基板Ｐ２の表面を樹脂コーティングしたり、樹脂充填することにより保護するという方法がある（例えば、特許文献１参照）。
【０００４】
また、他の方法として、図９に示すように、収容ケースＰ４のケース本体Ｐ４０とカバーＰ４１の嵌合部を、シール材またはパッキン材Ｐ６により高気密とした上で、収容ケースＰ４と外部との気圧を均衡させるための通気口Ｐ７に、通気性はあるが水は通さない防水シートＰ８を被着し、さらにその上方に被水防止キャップＰ９をかぶせることで、収納ケース内への水分の侵入を防止する方法が知られている。
【特許文献１】特開平１１−２２０２６４号公報
【発明の開示】
【発明が解決しようとする課題】
【０００５】
しかしながら、電子基板の表面を樹脂コーティングする方法については、コーティング材を散布する工程が必要なため製造工程が複雑になるという問題や、薬剤を使用するため環境に与える影響が大きいという問題がある。
【０００６】
また、収容ケースの嵌合部にシールやパッキン材を設ける方法については、シールやパッキン材を取り付ける工程が必要なため製造工程が複雑になるという問題や、気密構造を実現するために寸法精度が要求されるという問題がある。
【０００７】
本発明は、上記点に鑑み、簡易な構成で内部に収納された電子基板での結露の発生および埃の侵入を防止することができる電子機器の筺体構造を提供することを目的とする。
【課題を解決するための手段】
【０００８】
上記目的を達成するため、請求項１に記載の発明では、外部との電気的接続のためのコネクタ（３）が設けられた電子基板（２）を収納する電子機器用筺体であって、コネクタ（３）を相手方コネクタ（５）に接続させるためのコネクタ用開口部（４１０）を有しており、コネクタ用開口部（４１０）は、コネクタ（３）または相手方コネクタ（５）のいずれかと対応した形状に形成されるとともに、内周部がコネクタ（３）または相手方コネクタ（５）のいずれかの外周部と接触するように構成されており、コネクタ用開口部（４１０）の内周縁部には、弾性変形可能な材質からなる柔軟部（４１１）が設けられていることを特徴としている。
【０００９】
このように、コネクタ用開口部（４１０）の内周部がコネクタ（３）または相手方コネクタ（５）のいずれかと接触するように形成され、さらに、コネクタ用開口部（４１０）の内周縁部に弾性変形可能な柔軟部（４１１）が設けられているため、コネクタ（３）または相手方コネクタ（５）のいずれかの外周部とコネクタ用開口部（４１０）の内周部とを密着嵌合させることができる。これにより、筺体内に空気や埃を通しにくくすることができるため、簡易な構成で電子基板（２）での結露の発生および筺体内への埃の侵入を防止することが可能となる。さらに、コネクタ用開口部（４１０）の内周縁部に柔軟部（４１１）を設けることにより、コネクタ（３）と相手方コネクタ（５）とを接続させる際にコネクタ（３）と電子基板（２）との接続部にかかる応力を分散させることが可能となる。
【００１０】
また、請求項２に記載の発明のように、コネクタ用開口部（４１０）の内周縁部には、コネクタ用開口部（４１０）が形成された面よりも板厚が薄く、弾性変形可能な薄肉部（４１２）を設けてもよい。
【００１１】
また、請求項３に記載の発明では、コネクタ用開口部（４１０）の内周縁部には、一端がコネクタ用開口部（４１０）に位置しているとともにコネクタ用開口部（４１０）から遠ざかる方向に切れ込むように形成された切れ込み部（４１３）を設けてもよい。
【００１２】
なお、上記各手段の括弧内の符号は、後述する実施形態に記載の具体的手段との対応関係を示すものである。
【発明を実施するための最良の形態】
【００１３】
（第１実施形態）
以下、本発明の第１実施形態について図１〜図４に基づいて説明する。本第１実施形態の電子機器の筺体構造は、車両の各種制御を行うマイクロコンピュータを含む電子制御ユニットとして用いられる。
【００１４】
図１は本第１実施形態に係る電子制御ユニット１を示す分解斜視図で、図２は本第１実施形態に係る電子制御ユニット１を示す正面図で、図３は本第１実施形に係る電子制御ユニット１を示す断面図である。図１〜図３に示すように、本第１実施形態の電子制御ユニット１は、電子基板２と、相手側コネクタ５と接続可能なコネクタ３と、それらを収容する略直方体の収容ケース４から構成されている。収容ケース４は、ＡＢＳ樹脂もしくはポリプロピレン等の硬質の樹脂で形成されている。また、コネクタ３および収容ケース４は、電子制御ユニット１の筺体を構成している。
【００１５】
電子基板２には、図示しないパワートランジスタやマイクロコンピュータ等の電子部品が搭載されている。電子基板２には、外部との電気的接続のためのコネクタ３が接続されている。
【００１６】
コネクタ３は、電子基板２と半田付けされている。また、コネクタ３は、相手側コネクタ５と嵌合可能な接続口３０を備えている。本第１実施形態では、コネクタ３は、相手方コネクタ５よりも外径が大きい雌型コネクタになっており、相手方コネクタ５が雄型コネクタになっている。
【００１７】
収容ケース４は、その正面側（図１における手前側）にケース開口部４００を有するケース本体４０と、ケース開口部４００を覆うカバー４１とから構成されている。カバー４１には、コネクタ３が露出するようなコネクタ用開口部４１０が設けられている。
【００１８】
コネクタ用開口部４１０は、コネクタ３と対応した形状に形成されている。また、コネクタ用開口部４１０は、コネクタ用開口部４１０の内周がコネクタ３の外周部と接触するように、コネクタ３の外周部と同じ大きさ、もしくは、若干小さく形成されている。
【００１９】
カバー４１におけるコネクタ用開口部４１０の内周縁部には、カバー４１を形成する素材よりも柔らかい素材からなり、弾性変形可能な柔軟部４１１が設けられている。柔軟部４１１は、コネクタ３に相手方コネクタ５を接続させる際に変形できる程度の柔軟性を有しており、例えば、ゴムで形成されている。
【００２０】
次に、電子制御ユニット１の組立てについて説明する。まず、ケース本体４０の内部に、コネクタ３が接続された電子基板２を収納する。そして、コネクタ用開口部４１０にコネクタ３を挿入しながら、ケース本体４０のケース開口部４００にカバー４１を被せる。ここで、コネクタ用開口部４１０がコネクタ３と同じ大きさ、もしくは、若干小さく形成されており、さらに、コネクタ用開口部４１０の内周縁部に弾性変形可能な柔軟部４１１が設けられているため、コネクタ３とカバー４１とが密着嵌合する。
【００２１】
図４は、本第１実施形態に係るコネクタ３と相手方コネクタ５とが接続した電子制御ユニット１を示す断面図である。図４に示すように、雌型コネクタであるコネクタ３に、雄型コネクタである相手方コネクタ５が接続されている。相手方コネクタ５をコネクタ３に挿入する際にコネクタ３に応力がかかるが、カバー４１の柔軟部４１１が変形することでコネクタ３にかかる応力が分散される。
【００２２】
以上説明したように、コネクタ用開口部４１０がコネクタ３と同じ大きさか若干小さく形成され、さらに、コネクタ用開口部４１０の内周縁部に弾性変形可能な柔軟部４１１が設けられているため、コネクタ３とカバー４１は密着嵌合する。これにより、収納ケース４内に空気や埃を通しにくくすることができるため、簡易な構成で電子基板２での結露の発生および電子制御ユニット１内への埃の侵入を防止することが可能となる。
【００２３】
さらに、コネクタ用開口部４１０の内周縁部に柔軟部４１１を設けることにより、コネクタ３に相手方コネクタ５を挿入する際にコネクタ３にかかる応力を柔軟部４１１で分散させることができるため、コネクタ３と電子基板２との半田付け部にかかる応力を減少させることが可能となる。
【００２４】
（第２実施形態）
次に、本発明の第２実施形態について図５および図６に基づいて説明する。上記第１実施形態と同様の部分については同一の符号を付して説明を省略する。
【００２５】
図５は本第２実施形態に係る電子制御ユニット１を示す正面図で、図６は本第２実施形態に係る電子制御ユニット１を示す断面図である。図５および図６に示すように、カバー４１におけるコネクタ用開口部４１０の周囲には、カバー４１の他の部位と比較して板厚の薄い、弾性変形可能な薄肉部４１２が設けられている。薄肉部４１２は、コネクタ３に相手方コネクタ５を接続させる際に変形できる程度に薄く形成されている。
【００２６】
以上のように、コネクタ用開口部４１０がコネクタ３と同じ大きさか若干小さく形成され、さらに、コネクタ用開口部４１０の内周縁部に弾性変形可能な薄肉部４１２が設けられているため、コネクタ３とカバー４１とが密着嵌合する。これにより、収納ケース４内に空気や埃を通しにくくすることができるため、簡易な構成で電子基板２での結露の発生および電子制御ユニット１内への埃の侵入を防止することが可能となる。
【００２７】
さらに、コネクタ用開口部４１０の内周縁部に薄肉部４１２を設けることにより、コネクタ３に相手方コネクタ５を挿入する際にコネクタ３にかかる応力を薄肉部４１２で分散させることができるため、コネクタ３と電子基板２との半田付け部にかかる応力を減少させることが可能となる。
【００２８】
（第３実施形態）
次に、本発明の第３実施形態について図７に基づいて説明する。上記第１実施形態と同様の部分については同一の符号を付して説明を省略する。
【００２９】
図７は、本第３実施形態に係る電子制御ユニット１を示す正面図である。図７に示すように、カバー４１におけるコネクタ用開口部４１０の内周縁部には、コネクタ用開口部４１０の４カ所の角部から切れ込むように形成される切れ込み部４１３が設けられている。切れ込み部４１３は、一端がコネクタ用開口部４１０に位置しているとともに、コネクタ用開口部４１０から遠ざかる方向に切れ込まれている。また、これらの切れ込み部４１３は、コネクタ３に相手方コネクタ５を接続させる際に変形できる程度に切れ込まれている。
【００３０】
以上のように、コネクタ用開口部４１０がコネクタ３と同じ大きさか若干小さく形成され、さらに、コネクタ用開口部４１０の内周縁部に切れ込み部４１３が設けられているため、コネクタ３とカバー４１とが密着嵌合する。これにより、収納ケース４内に空気や埃を通しにくくすることができるため、簡易な構成で電子基板２での結露の発生および電子制御ユニット１内への埃の侵入を防止することが可能となる。
【００３１】
さらに、コネクタ用開口部４１０の内周縁部に切れ込み部４１３を設けることにより、コネクタ３に相手方コネクタ５を挿入する際にコネクタ３にかかる応力を分散させることができるため、コネクタ３と電子基板２との半田付け部にかかる応力を減少させることが可能となる。
【００３２】
（他の実施形態）
なお、上記各実施形態において、コネクタ３を相手方コネクタ５より外径の大きい雌型コネクタとしたが、コネクタ３を相手方コネクタ５より外径の小さい雄型コネクタとしてもよい。この場合、コネクタ用開口部４１０は、内周部が相手方コネクタ５の外周部と接触するように形成されており、相手方コネクタ５とカバー４１とが密着勘合するように構成されている。
【００３３】
また、上記第３実施形態において、切れ込み部４１３をコネクタ用開口部４１０の４カ所の角部から切れ込むように設けたが、コネクタ用開口部４１０の内周囲における任意の位置に設けることができる。
【図面の簡単な説明】
【００３４】
【図１】第１実施形態に係る電子制御ユニット１を示す分解斜視図である。
【図２】第１実施形態に係る電子制御ユニット１を示す正面図である。
【図３】第１実施形態に係る電子制御ユニット１を示す断面図である。
【図４】第１実施形態に係るコネクタ３と相手方コネクタ５とが接続した電子制御ユニット１を示す断面図である。
【図５】第２実施形態に係る電子制御ユニット１を示す正面図である。
【図６】第２実施形態に係る電子制御ユニット１を示す断面図である。
【図７】第３実施形態に係る電子制御ユニット１を示す正面図である。
【図８】従来の電子機器を示す断面図である。
【図９】従来の電子機器を示す断面図である。
【符号の説明】
【００３５】
２…電子基板、３…コネクタ、４１０…コネクタ用開口部、４１１…柔軟部、４１２…薄肉部、４１３…切れ込み部、５…相手方コネクタ。
【図１】
2006244759.tif 000003
【図２】
2006244759.tif 000004
【図３】
2006244759.tif 000005
【図４】
2006244759.tif 000006
【図５】
2006244759.tif 000007
【図６】
2006244759.tif 000008
【図７】
2006244759.tif 000009
【図８】
2006244759.tif 000010
【図９】
2006244759.tif 000011